(57)【特許請求の範囲】
【請求項１】
リベット等の固定金具を用いることなく，対向する端部枠に多数の仕切桟を一体的なカシメ接合によって架設固定したアルミ製の仕切体であって，該架設固定を，これら端部枠と仕切桟における板部分相互の対接重合部分を端部枠長手方向に各仕切桟の片側複数個所で前後方向に向けた点状のプレス深絞り加工による一体的なカシメ接合によって行うとともに該一体的なカシメ接合を，端部枠の内周を拡開状に開口するようにプレス変形し且つ仕切桟の外周をその端部枠の開口との間を充填するように変形してアルミ流動性利用による楔状の断面形状をなすものとしてなることを特徴とする外構材，建具等の仕切体。
【発明の詳細な説明】
【０００１】
【発明の属する技術分野】
本発明はフェンス，門扉等の外構材，玄関引戸等の建具等に好適に使用される外構材，建具等の仕切体に関する。
【０００２】
【従来の技術及び発明が解決しようとする課題】
この種外構材，建具等に使用される仕切体は，対向する端部枠と，該端部枠間に，例えばリベット等の固定金具によって架設固定した多数の仕切桟を備えたものとされているが，例えばリベットを固定手段とするものは，端部桟及び仕切桟にリベット挿通用の透孔をそれぞれ加工し，該透孔が貫通するように位置を合わせてリベットを挿通変形するように行なうから，仕切体の製造工程が煩雑となる傾向があり，特に仕切桟の本数を多く用いる仕切体にあってこの傾向が顕著となる。
【０００３】
本発明はかかる事情に鑑みてなされたもので，その解決課題とするところは，上記リベット等の固定金具を用いることなく製造が簡易で，仕切桟の架設固定を確実になし得るとともにその固定を，リベットによる固定と同等乃至それ以上に強固に行なって，仕切体としての耐久性を高度に確保した外構材，建具等の仕切体を提供するにある。
【０００４】
【課題を解決するための手段】
本発明は上記課題に添って求項１に記載の発明を，リベット等の固定金具を用いることなく，対向する端部枠に多数の仕切桟を一体的なカシメ接合によって架設固定したアルミ製の仕切体であって，該架設固定を，これら端部枠と仕切桟における板部分相互の対接重合部分を端部枠長手方向に各仕切桟の片側複数個所で前後方向に向けた点状のプレス深絞り加工による一体的なカシメ接合によって行うとともに該一体的なカシメ接合を，端部枠の内周を拡開状に開口するようにプレス変形し且つ仕切桟の外周をその端部枠の開口との間を充填するように変形してアルミ流動性利用による楔状の断面形状をなすものとしてなることを特徴とする外構材，建具等の仕切体としたものであり，本発明はこれを発明の要旨として上記課題解決の手段としたものである。
【０００５】
【発明の実施の形態】
以下図面の例に従って本発明を更に具体的に説明すれば，Ａはフェンス，Ｂは本例において例えばアルミ押出材を用いてアルミ製とし上記フェンスＡのフェンス本体をなす仕切体であり，該仕切体Ｂは，リベット等の固定金具を用いることなく，対向する端部枠１に多数の仕切桟２を一体的なカシメ接合によって架設固定したものとしてある。
【０００６】
本例において上記端部枠１はこれを縦枠とし，仕切桟２はこれを該縦枠の端部枠１に長手方向両端を交差重合するように配置して上記架設固定を行なった横桟としてある。
【０００７】
このとき端部枠１は，後述のプレスによる対接重合によるカシメ接合を可能とするように，背面側に板部分１１を有する，例えば断面Ｌ字状にして板部分１１の端部を背面側に向けて折曲して配置したリブを有する一体のアルミ押出材によるものとしてあり，また仕切桟２は上下に複数連のルーバー部分を形成するとともに同じくプレスによる対接重合によるカシメ接合を可能とするように，上記端部枠１の板部分１１に対接重合する板部分による上下に複数の基板２１と，該基板２１から正面側に同じく上下に複数のルーバー羽根，例えば傾斜板部２３と垂直板部２４とによるルーバー羽根２２をそれぞれ突出した一体のアルミ押出材によるものとしてあり，本例にあって該仕切桟２は，下端用のものを除いてルーバー羽根２２を上下に２連とし，上記基板２１及びルーバー羽根２２をそれぞれ上下に２つのものとするようにし，該仕切桟２を上記端部枠１に多数架設固定することによって上位に位置する仕切桟２のルーバー羽根２２下端が下位に位置する仕切桟２の上方の基板２１との間に空隙を介して部分的に重なり，該空隙がそれぞれ通風性を備えたものとし，上記端部枠１に多数の仕切桟２を架設固定した仕切体Ｂの状態で単一に構成したルーバーの形状を呈するようにしてある。
【０００８】
このとき仕切体Ｂにおいて，上記端部枠１に対する仕切桟２の架設固定は，これを，これら端部枠１と仕切桟２における板部分相互の対接重合部分を端部枠長手方向に各仕切桟の片側複数個所で前後方向に向けた点状のプレス深絞り加工による一体的なカシメ接合によって行うとともに該一体的なカシメ接合を，端部枠１の内周を拡開状に開口するようにプレス変形し且つ仕切桟２の外周をその端部枠の開口との間を充填するように変形してアルミ流動性利用による楔状の断面形状をなすものとしてある。
【０００９】
本例にあって上記仕切桟２は，上記板部分をなす基板２１を複数備えることによって，その形状を上記端部枠１に対してその長手方向に複数箇所に対接重合する形状のものとし，上記一体的なカシメ接合による架設固定を，該複数箇所の対接重合部分のそれぞれにおいて行なったものとしてある。
【００１０】
即ち本例の仕切体Ａにおいて端部枠１に対する仕切桟２の架設固定は，仕切桟２の長手方向端部を端部枠１に対して突き当て状とするとともにその基板２１長手方向端部を端部枠１の背面側の板部分１１に正面側から対接するように配置することによって，端部枠１の板部分１１に各仕切桟２の複数，本例にあっては上下２つの基板２１をそれぞれ対接重合し，上記端部枠１の板部分１１と仕切桟２の基板２１との相互に板部分の対接重合部分においてそれぞれ点状のプレスを施すことによって端部枠１に対して，その長手方向に各仕切桟２片側に複数，本例において上下に２箇所の一体的なカシメ接合を行なったものとしてあり，一体的なカシメ接合を該各仕切桟２に複数とすることによって，端部枠１に対する仕切桟２の接合強度を可及的高度に確保するようにしてある。
【００１１】
本例において上記一体的なカシメ接合は，これを，上記対接重合部分におけるプレスを端部枠１に対して仕切桟２が楔状に係止する断面形状をなすプレス変形によって行なったものとし，本例にあってはこれによって上記片側に複数の接合と相俟って各カシメ接合による断面形状によって接合強度を更に向上して極めて強固な固定を行なったものとしてある。
【００１２】
本例のカシメ接合は，上記対接重合部分のプレスを行なう凹陥部を有するダイと対接重合部分を挟んで凹陥部に打込むポンチの外径を，ダイの凹陥部の内径から端部枠１の板部分１１及び仕切桟２の基板２１の合計厚さをマイナスした寸法より大きくして点状の深絞りのプレス加工を施すことによって，これを行なったものとしてあり，これにより，図６に示すように端部枠１の深絞り開口部分における内周が下向きに拡開状に変形するとともに仕切桟１の外周が端部枠１の深絞り開口部分との間を充填するように変形し，本例にあっては上記アルミ押出材としたことによって深絞り加工時に該アルミの流動性を最大限に利用して，上記仕切桟２が端部枠１に対して好ましい上記楔状の断面形状によって相互に係止するプレス変形の断面形状を得るようにしてある。
【００１３】
本例の仕切体Ｂにおける端部枠１と仕切桟２のカシメ接合は，各仕切桟２に複数箇所にしてそれぞれ上記楔状の断面形状のものとしたことにより，極めて接合強度が強く，リベットによる固定と同等乃至それ以上に強固の固定を行なって，外構材の仕切体として耐久性を高度に確保するものとなし得た。
【００１４】
図中３は上記仕切体Ｂのフェンス本体をフェンスＡとするために設置した仕切体Ｂのそれぞれ一方の端部枠１を受け入れ保持してフェンスＡ両端を画し且つ上記カシメ接合部分を被覆するように配置した外縦枠，４は該仕切体Ｂの他方の端部枠１をそれぞれ受け入れ保持して仕切体Ｂを幅方向に連結し且つ同じく上記カシメ接合部分を被覆するように配置した中間縦枠，５及び６は上記外縦枠３及び中間縦枠４にネジ固定して仕切体Ｂの上下端に配置した連結横枠５１，６１を介して上端に設置した笠木及び下枠，３１及び４１は上記ネジ固定用に外縦枠３及び中間縦枠４に設置したタッピングホールを示す。
【００１５】
図示した例は以上のとおりとしたが，端部枠及び／又は仕切桟を相互に板部分の対接重合を可能とすれば，外板部分をフィン状に突出設置した全体としてホロ形状のものとすること，端部枠と仕切桟のカシメ接合を各仕切桟の長手方向端部にそれぞれ単一箇所とすること，端部枠を横枠とし，仕切桟を縦桟とした仕切体として構成すること，仕切体を門扉等その余の外構材とし，また格子状の玄関引戸等の建具或いは面格子等その余の用途のものとすること等を含めて，本発明の実施に当って，仕切体，端部枠，仕切桟，これらのカシメ接合等の各具体的材質，形状，構造，手段，数，これらの関係，これらに対する付加等は，上記発明の要旨に反しない限り様々な形態のものとすることができる。
【００１６】
【発明の効果】
本発明は以上のとおりに構成したから，請求項１に記載の発明は，リベット等の固定金具を用いることなく製造が簡易で，仕切桟の架設固定を確実になし得るとともに上記一体的なカシメ接合とその断面形状を楔状としたことにより，極めて接合強度が強く，リベットによる固定と同等乃至それ以上に強固の固定を行なって，仕切体としての耐久性を高度に確保した外構材，建具等の仕切体を提供することができる。
【図面の簡単な説明】
【図１】  フェンスの正面図である。
【図２】  フェンスの縦断面図である。
【図３】  フェンスの横断面図である。
【図４】  フェンスにおける仕切体の正面図である。
【図５】  端部枠と仕切桟の関係を示す部分拡大横断面図である。
【図６】  カシメ接合部分の拡大断面図である。
【符号の説明】
Ａ  フェンス
Ｂ  仕切体
１  端部枠
２  仕切桟
１１  板部分
２１  基板
【図１】
0004012364.tif 000002
【図２】
0004012364.tif 000003
【図３】
0004012364.tif 000004
【図４】
0004012364.tif 000005
【図５】
0004012364.tif 000006
【図６】
0004012364.tif 000007